【事件の表示】
　特願２０１１−　７５３０５「電池電圧検出装置」拒絶査定不服審判事件〔平成２４年１０月２５日出願公開、特開２０１２−２０８０６８、請求項の数（２）〕について、次のとおり審決する。
【結　論】
　原査定を取り消す。
　本願の発明は、特許すべきものとする。
【理　由】
第１　手続の経緯　
　本願は、平成２３年３月３０日の出願であって、その手続の経緯は以下のとおりである。
　平成２６年１１月　７日付け：拒絶理由の通知
　平成２７年　１月　７日　　：意見書、手続補正書の提出
　平成２７年　６月３０日付け：拒絶査定
　平成２７年　９月　９日　　：審判請求書、手続補正書の提出
　平成２８年　６月２１日付け：当審拒絶理由の通知
　平成２８年　７月２９日　　：意見書、手続補正書の提出
　平成２８年　９月　５日付け：当審拒絶理由の通知
　平成２８年１０月２６日　　：意見書、手続補正書の提出
第２　本願発明
　本願の請求項１および２に係る発明は、平成２８年１０月２６日の手続補正で補正された特許請求の範囲の請求項１および２に記載された事項により特定されるものと認められるところ、本願の請求項１に係る発明（以下、「本願発明」という。）は以下のとおりである。
「　　【請求項１】
　直列接続された複数の電池セルの各々に対して個別に設けられており、前記電池セルによって充電されるコンデンサと、前記電池セルの両端子に接続された一対の入力端子と、充電期間中にオンとなって前記コンデンサを前記一対の入力端子間に接続し、充電後にオフとなって前記コンデンサを前記一対の入力端子から絶縁する入力スイッチと、一対の出力端子と、充電期間中にオフとなって前記コンデンサを前記一対の出力端子から絶縁し、充電後にオンとなって前記コンデンサを前記一対の出力端子間に接続する出力スイッチとを有する電圧検出回路と、
　前記電圧検出回路の各々に設けられた前記一対の出力端子の内、高電位側の出力端子と電源ラインとに接続された複数のプルアップ抵抗と、
　前記電圧検出回路の各々に接続され、前記プルアップ抵抗が前記コンデンサに接続される前記出力スイッチのオン期間中に前記コンデンサが前記プルアップ抵抗を介して再充電され、ドリフト誤差による電圧低下分がキャンセルされたときの前記電圧検出回路の出力端子間電圧を前記電池セルのセル電圧として取り込む電圧処理部と
　を備えることを特徴とする電池電圧検出装置。」
第３　原査定の理由について
１　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　刊行物１：特開２０１０−２５６３３５号公報
　刊行物２：特開２００１−２４４８１３号公報
　刊行物３：特開２０００−１８３７３９号公報
　刊行物４：国際公開第２００９／０１９８２５号
　刊行物５：特開２００８−８２７３１号公報
　刊行物６：特開２００２−３５０４７２号公報
　刊行物１の主に図１，図２を参照のこと。
　プルアップ抵抗を介して電源ラインに接続する構成（例えば刊行物２の図２，図４、刊行物３の図１３など）は周知であり、当該構成をとることに格別の困難性はない。
　また、電池セルの各々に対応して電圧検出回路を設けることは設計的事項である。
　出願人は、意見書において、例示した刊行物のプルアップ抵抗は、本願発明のプルアップ抵抗とは異なる旨の主張をしているが、刊行物１や本願明細書でも開示されるような回路構成（【００２３】のＡ／Ｄ変換回路等を参照）において、一般的なプルアップ抵抗を用いることに格別の困難性はない。
　また、スイッチと連動して機能する点も主張しているが、この種のスイッチの動作（コンデンサへの充電中はオンにし、充電後はオフにする）は、例えば刊行物４の［００３９］、図１，図２，図６、刊行物５の【００１４】−【００１５】，図１等、刊行物６の【０００８】−【０００９】等，図１，図３にも開示されるように、一般的であるから、プルアップ抵抗を備えたものであっても、当該スイッチ動作を行う構成とすることは、当業者ならば容易になし得たものである。
２　原査定の理由の判断
（１）刊行物の記載事項
ア　刊行物１（特開２０１０−２５６３３５号公報）の記載事項
　刊行物１には、図面とともに以下の事項が記載されている（なお、下線は当審で付した。）。
（ａ）「【００３７】
　図１に、第１実施形態に係る電圧検出装置１の内部ブロック図を示す。図１には、電圧検出装置１に接続される他の要素も示されている。
電圧検出装置１は、符号１１〜１５によって参照される各部位を備える。図１において、符号２は、電圧の測定対象としての電圧源を表す。本実施形態及び後述の各実施形態においては、特に述べない限り、測定対象は充電可能なリチウムイオン二次電池（以下、ＬＩＢと表記する）であるとする。
（ｃ）「【００３９】
　電圧源２と負荷３及び充電回路４とを接続する環状の主電力線２０から、
電圧源２の正出力端子に接続された電圧検出線２１
電圧源２の負出力端子は基準電位点６に接続されている。符号１１〜１５によって参照される各部位は、基準電位点７における電位を基準にして動作する。
【００４０】
　
電圧検出装置１は、
電圧源２の正出力端子及び負出力端子間の電圧（即ち、電圧源２の出力電圧Ｖｏ）を検出する。
分岐点２２からＡＤ前段部１１に向かう電圧検出線を符号２３によって参照し、
電圧源２の出力電圧Ｖｏを表すアナログ電圧信号は、電圧検出線２１を伝播した後、分岐点２２にて分岐し、更に電圧検出線２３及び２４上を伝播する。
【００４１】
　
ＡＤ前段部１１は、自身の入力端子１１
IN
に加わったアナログ電圧をＡＤ変換器１２の入力端子１２
IN
に伝達するためのバッファ回路であり、
ＡＤ前段部１１から伝達されて入力端子１２
IN
に加わる電圧は基準電位点７の電位を基準とする電圧である一方、入力端子１１
IN
に加わるアナログ電圧は基準電位点６の電位を基準とする電圧である。
【００４２】
　
ＡＤ変換器１２は、
周期的に入力端子１２
IN
におけるアナログ電圧信号をデジタル電圧信号に変換し、
デジタル回路部１４に出力する。
（ｄ）「【００７３】
　電圧検出装置１０１内の各部位は、基準電位点７の電位を基準として動作する。符号２［１］〜２［８］の夫々は、電圧の測定対象としての電圧源を表し、今、
各電圧源２［１］〜２［８］が電圧源２と同様の特性を有するＬＩＢである場合を考える。電圧源２［１］〜２［８］は、
直列接続されており、
（ｅ）図２より、「フライングキャパシタと、フライングキャパシタの一方の端子と入力端子１１INとを接続する第１のスイッチと、フライングキャパシタの他方の端子と基準電位点６とを接続する第２のスイッチと、フライングキャパシタの一方の端子と入力端子１２INとを接続する第３のスイッチと、フライングキャパシタの他方の端子と基準電位点７とを接続する第４のスイッチとを備えるＡＤ前段部１１」が見てとれる。
（ア）刊行物１の「電圧検出装置１は、・・・（略）・・・電圧源２の正出力端子及び負出力端子間の電圧（即ち、電圧源２の出力電圧Ｖｏ）を検出する」（【００４０】）との記載について、「電圧検出装置１は、符号１１〜１５によって参照される各部位を備える。図１において、符号２は、電圧の測定対象としての電圧源を表す。本実施形態及び後述の各実施形態においては、特に述べない限り、測定対象は充電可能なリチウムイオン二次電池（以下、ＬＩＢと表記する）であるとする」（【００３７】）との記載を踏まえれば、測定対象としての電圧源２とはリチウムイオン二次電池であり、刊行物１には、「リチウムイオン二次電池である電圧源２の正出力端子及び負出力端子間の電圧を検出する電圧検出装置１」が記載されているといえる。
（イ）刊行物１の「各電圧源２［１］〜２［８］が電圧源２と同様の特性を有するＬＩＢである場合を考える。電圧源２［１］〜２［８］は、・・・（略）・・・直列接続されており」（【００７３】）との記載について、「リチウムイオン二次電池（以下、ＬＩＢと表記する）」（【００３７】）との記載を踏まえれば、刊行物１には、「リチウムイオン二次電池である電圧源２が複数直列接続される」ことが記載されているといえる。
（ウ）
ａ　刊行物１の「ＡＤ前段部１１は、自身の入力端子１１INに加わったアナログ電圧をＡＤ変換器１２の入力端子１２INに伝達するためのバッファ回路であり」（【００４１】）との記載より、刊行物１には、「自身の入力端子１１INに加わったアナログ電圧をＡＤ変換器１２の入力端子１２INに伝達するためのバッファ回路であるＡＤ前段部１１」が記載されているといえる。
ｂ　刊行物１の「電圧源２の正出力端子に接続された電圧検出線２１」（【００３９】）、「分岐点２２からＡＤ前段部１１に向かう電圧検出線を符号２３によって参照し、・・・（略）・・・電圧源２の出力電圧Ｖｏを表すアナログ電圧信号は、電圧検出線２１を伝播した後、分岐点２２にて分岐し、更に電圧検出線２３及び２４上を伝播する」（【００４０】）、「ＡＤ前段部１１は、自身の入力端子１１INに加わったアナログ電圧を・・・（略）・・・伝達する」（【００４１】）との記載を踏まえれば、入力端子１１INに加わるアナログ電圧とは、電圧源の出力電圧を表すアナログ電圧信号に対応するものであって、入力端子１１INは、電圧検出線２３を介して電圧源２の正出力端子に接続されるといえ、刊行物１には、「電圧源２の正出力端子に接続される入力端子１１IN」が記載されているといえる。
ｃ　刊行物１には、「ＡＤ変換器１２の入力端子１２IN」（【００４１】）が記載されている。
ｄ　刊行物１の「電圧源２の負出力端子は基準電位点６に接続されている」（【００３９】）との記載より、刊行物１には、「電圧源２の負出力端子に接続される基準電位点６」が記載されているといえる。
ｅ　刊行物１の「符号１１〜１５によって参照される各部位は、基準電位点７における電位を基準にして動作する」（【００３９】）、「ＡＤ変換器１２」（【００４１】）との記載より、刊行物１には、「ＡＤ変換器１２の基準の電位となる基準電位点７」が記載されているといえる。
ｆ　上記ａないしｅと上記（ｅ）を総合すれば、刊行物１には、「フライングキャパシタと、フライングキャパシタの一方の端子と電圧源２の正出力端子に接続される入力端子１１INとを接続する第１のスイッチと、フライングキャパシタの他方の端子と電圧源２の負出力端子に接続される基準電位点６とを接続する第２のスイッチと、フライングキャパシタの一方の端子とＡＤ変換器１２の入力端子１２INとを接続する第３のスイッチと、フライングキャパシタの他方の端子とＡＤ変換器１２の基準の電位となる基準電位点７とを接続する第４のスイッチとを備えるＡＤ前段部１１であって、自身の入力端子１１INに加わったアナログ電圧をＡＤ変換器１２の入力端子１２INに伝達するためのバッファ回路であるＡＤ前段部１１」が記載されているといえる。
（エ）刊行物１の「ＡＤ変換器１２は、・・・（略）・・・周期的に入力端子１２INにおけるアナログ電圧信号をデジタル電圧信号に変換し、・・・（略）・・・デジタル回路部１４に出力する」（【００４２】）、「符号１１〜１５によって参照される各部位は、基準電位点７における電位を基準にして動作する」（【００３９】）との記載より、刊行物１には、「基準電位点７における電位を基準にして動作し、周期的に入力端子１２INにおけるアナログ電圧信号をデジタル電圧信号に変換し、デジタル回路部１４に出力するＡＤ変換器１２」が記載されているといえる。
　したがって、上記（ア）ないし（エ）を総合すると、刊行物１には以下の発明が記載されている（以下、「引用発明」という。）。 
　
「リチウムイオン二次電池である電圧源２の正出力端子及び負出力端子間の電圧を検出する電圧検出装置１であって、
　リチウムイオン二次電池である電圧源２が複数直列接続され、
　フライングキャパシタと、フライングキャパシタの一方の端子と電圧源２の正出力端子に接続される入力端子１１INとを接続する第１のスイッチと、フライングキャパシタの他方の端子と電圧源２の負出力端子に接続される基準電位点６とを接続する第２のスイッチと、フライングキャパシタの一方の端子とＡＤ変換器１２の入力端子１２INとを接続する第３のスイッチと、フライングキャパシタの他方の端子とＡＤ変換器１２の基準の電位となる基準電位点７とを接続する第４のスイッチとを備えるＡＤ前段部１１であって、自身の入力端子１１INに加わったアナログ電圧をＡＤ変換器１２の入力端子１２INに伝達するためのバッファ回路であるＡＤ前段部１１と、
　基準電位点７における電位を基準にして動作し、周期的に入力端子１２INにおけるアナログ電圧信号をデジタル電圧信号に変換し、デジタル回路部１４に出力するＡＤ変換器１２と、
　を有する、
　電圧検出装置１。」
イ　刊行物２（特開２００１−２４４８１３号公報）の記載事項
　刊行物２には、図面とともに以下の事項が記載されている（なお、下線は当審で付した。）。
（ａ）「【００１６】図１において、
Ａ／Ｄ変換入力回路は、アナログ信号（Ａ）１００、アナログ信号（Ｂ）１０１、アナログ信号（Ｃ）１０２とを入力し、チャンネル切替え信号１２５に従っていずれか一つのアナログ信号を選択するマルチプレクサ１２０
と、サンプル・ホールド・スイッチ１３１及びホールドコンデンサ１３２から構成され、マルチプレクサ１２０により選択されたアナログ信号を一定時間保持するサンプル・ホールド回路１３０
と、サンプル・ホールド回路１３０によりサンプル・ホールドされたアナログ信号をデジタル信号に変換するＡ／Ｄ変換器１４０
と、Ａ／Ｄ変換器１４０を内蔵するマイクロコンピュータ等からなりＡ／Ｄ変換器１４０によりＡ／Ｄ変換した値に基づいて、マルチプレクサ１２０を含む電子制御ユニット全体を制御するＣＰＵ１５０
とを備えて構成される。
（ｂ）「【００３４】図２は、第２の実施形態のＡ／Ｄ変換入力回路の構成を示す図である。本実施形態の説明にあたり、図１と同一構成部分には同一符号を付して重複部分の説明を省略する。図２において、
２００は、サンプル・ホールド回路１３０のコンデンサ１３２に蓄積された電荷を充電する充電回路
であり、充電回路２００は、サンプル・ホールド回路１３０の出力側とＣＰＵ１５０との間に設置されている。
【００３５】
充電回路２００は、外部電圧３００
に接続された充電抵抗２０１
と、充電抵抗２０１とマルチプレクサ１２０の出力信号線１１０との接続を開閉する充電スイッチ２０２
とから構成される。
（ｃ）「【００３９】以上詳細に説明したように、第２の実施形態によれば、サンプル・ホールド回路１３０のコンデンサを一定電圧に充電する充電回路２００を付加し、充電回路２００が充電スイッチ２０２と直列抵抗２０１の組み合せにより入力信号線と外部電圧３００と接続するので、
充電回路２００の充電スイッチ２０２をＯＮとしている間、サンプル・ホールド回路１３０のコンデンサ１３２は外部電圧３００により充電され、充電回路２００の充電スイッチ２０２がＯＦＦとなった後は、コンデンサ１３２に蓄積された電荷により断線された信号線のＡ／Ｄ変換値は（外部電圧＋誤差）を示すことになり、信号線が断線した場合、充電回路２００により、そのアナログ信号線のＡ／Ｄ変換値は、誤差の範囲内で一定値となり、この値が、正常時のアナログ信号値の有効範囲外であれば、アナログ信号線の断線を検出することができる。
（ア）刊行物２には、「アナログ信号（Ａ）１００、アナログ信号（Ｂ）１０１、アナログ信号（Ｃ）１０２とを入力し、チャンネル切替え信号１２５に従っていずれか一つのアナログ信号を選択するマルチプレクサ１２０・・・（略）・・・と、サンプル・ホールド・スイッチ１３１及びホールドコンデンサ１３２から構成され、マルチプレクサ１２０により選択されたアナログ信号を一定時間保持するサンプル・ホールド回路１３０・・・（略）・・・と、サンプル・ホールド回路１３０によりサンプル・ホールドされたアナログ信号をデジタル信号に変換するＡ／Ｄ変換器１４０・・・（略）・・・と、Ａ／Ｄ変換器１４０を内蔵するマイクロコンピュータ等からなりＡ／Ｄ変換器１４０によりＡ／Ｄ変換した値に基づいて、マルチプレクサ１２０を含む電子制御ユニット全体を制御するＣＰＵ１５０・・・（略）・・・とを備えて構成される」（【００１６】）、「Ａ／Ｄ変換入力回路」（【００１６】）が記載されている。
 
（イ）刊行物２の「２００は、サンプル・ホールド回路１３０のコンデンサ１３２に蓄積された電荷を充電する充電回路・・・（略）・・・であり、充電回路２００は、サンプル・ホールド回路１３０の出力側とＣＰＵ１５０との間に設置されている」（【００３４】）、「充電回路２００は、外部電圧３００・・・（略）・・・に接続された充電抵抗２０１・・・（略）・・・と、充電抵抗２０１とマルチプレクサ１２０の出力信号線１１０との接続を開閉する充電スイッチ２０２・・・（略）・・・とから構成される」（【００３５】）との記載より、刊行物２には、「外部電圧３００に接続された充電抵抗２０１と、充電抵抗２０１とマルチプレクサ１２０の出力信号線１１０との接続を開閉する充電スイッチ２０２とから構成される充電回路２００であって、サンプル・ホールド回路１３０の出力側とＣＰＵ１５０との間に設置され、サンプル・ホールド回路１３０のコンデンサ１３２に蓄積された電荷を充電する充電回路２００」が記載されているといえる。
（ウ）刊行物２には、「充電回路２００の充電スイッチ２０２をＯＮとしている間、サンプル・ホールド回路１３０のコンデンサ１３２は外部電圧３００により充電され、充電回路２００の充電スイッチ２０２がＯＦＦとなった後は、コンデンサ１３２に蓄積された電荷により断線された信号線のＡ／Ｄ変換値は（外部電圧＋誤差）を示すことになり、信号線が断線した場合、充電回路２００により、そのアナログ信号線のＡ／Ｄ変換値は、誤差の範囲内で一定値となり、この値が、正常時のアナログ信号値の有効範囲外であれば、アナログ信号線の断線を検出することができる」（【００３９】）ことが記載されている。
　したがって、上記（ア）ないし（ウ）を総合すると、刊行物２には以下の技術が記載されている（以下、「刊行物２に記載の技術」という。）。 
「アナログ信号（Ａ）１００、アナログ信号（Ｂ）１０１、アナログ信号（Ｃ）１０２とを入力し、チャンネル切替え信号１２５に従っていずれか一つのアナログ信号を選択するマルチプレクサ１２０と、
　サンプル・ホールド・スイッチ１３１及びホールドコンデンサ１３２から構成され、マルチプレクサ１２０により選択されたアナログ信号を一定時間保持するサンプル・ホールド回路１３０と、
　サンプル・ホールド回路１３０によりサンプル・ホールドされたアナログ信号をデジタル信号に変換するＡ／Ｄ変換器１４０と、
　Ａ／Ｄ変換器１４０を内蔵するマイクロコンピュータ等からなりＡ／Ｄ変換器１４０によりＡ／Ｄ変換した値に基づいて、マルチプレクサ１２０を含む電子制御ユニット全体を制御するＣＰＵ１５０と
　を備えて構成されるＡ／Ｄ変換入力回路であって、
　外部電圧３００に接続された充電抵抗２０１と、充電抵抗２０１とマルチプレクサ１２０の出力信号線１１０との接続を開閉する充電スイッチ２０２とから構成される充電回路２００であって、サンプル・ホールド回路１３０の出力側とＣＰＵ１５０との間に設置され、サンプル・ホールド回路１３０のコンデンサ１３２に蓄積された電荷を充電する充電回路２００を備え、
　充電回路２００の充電スイッチ２０２をＯＮとしている間、サンプル・ホールド回路１３０のコンデンサ１３２は外部電圧３００により充電され、充電回路２００の充電スイッチ２０２がＯＦＦとなった後は、コンデンサ１３２に蓄積された電荷により断線された信号線のＡ／Ｄ変換値は（外部電圧＋誤差）を示すことになり、信号線が断線した場合、充電回路２００により、そのアナログ信号線のＡ／Ｄ変換値は、誤差の範囲内で一定値となり、この値が、正常時のアナログ信号値の有効範囲外であれば、アナログ信号線の断線を検出することができる、
　Ａ／Ｄ変換入力回路。」
ウ　刊行物３（特開２０００−１８３７３９号公報）の記載事項
　刊行物３には、図面とともに以下の事項が記載されている（なお、下線は当審で付した。）。
（ａ）「【０００３】このような従来のＡＳＩＣ内蔵マイコン９では、入出力端子部はユーザロジックによる構成部であるため、前記入出力端子部の端子はユーザにより任意にプルアップまたはプルダウンされる構成となる。このようなことから、
ＡＤ変換器１０に信号を入力する端子にプルアップ抵抗２とプルアップ電源４によるプルアップ構成が適用された場合、ＡＤ変換特性は図１４に示すようにプルアップなしのＡＤ変換特性にプルアップ電位上昇分のオフセットが付加される
　上記（ａ）より、刊行物３には以下の技術が記載されている（以下、「刊行物３に記載の技術」という。）。 
「ＡＤ変換器１０に信号を入力する端子にプルアップ抵抗２とプルアップ電源４によるプルアップ構成が適用された場合、ＡＤ変換特性は図１４に示すようにプルアップなしのＡＤ変換特性にプルアップ電位上昇分のオフセットが付加される技術。」
エ　刊行物４（国際公開第２００９／０１９８２５号）の記載事項
　刊行物４には、図面とともに以下の事項が記載されている（なお、下線は当審で付した。「キャパシタ２
３
４
（ａ）「［0001］　本発明は、
互いに直列接続された複数個の電池モジュールの電圧検出装置
（ｂ）「［0039］　
スイッチ６は
キャパシタ２４に二次電池２１の電圧を選択的にコピーするスイッチである。スイッチ２３は、キャパシタ２４を差動増幅回路２５に接続し、
スイッチ６で選択された二次電池２１の電池電圧を検出するためのスイッチで、スイッチ６とスイッチ２３のＯＮ，ＯＦＦにより二次電池２１と差動増幅回路２５が直接接続されないように構成されている。
（ア）刊行物４には、「互いに直列接続された複数個の電池モジュールの電圧検出装置」（［0001］）が記載されている。
（イ）刊行物４の「スイッチ６は・・・（略）・・・キャパシタ２４に二次電池２１の電圧を選択的にコピーするスイッチである。スイッチ２３は、キャパシタ２４を差動増幅回路２５に接続し、・・・（略）・・・スイッチ６で選択された二次電池２１の電池電圧を検出するためのスイッチで、スイッチ６とスイッチ２３のＯＮ，ＯＦＦにより二次電池２１と差動増幅回路２５が直接接続されないように構成されている」（［0039］）との記載より、刊行物４には、「キャパシタ２４に二次電池２１の電圧を選択的にコピーするスイッチ６と、キャパシタ２４を差動増幅回路２５に接続し、スイッチ６で選択された二次電池２１の電池電圧を検出するスイッチ２３とを備え、スイッチ６とスイッチ２３のＯＮ，ＯＦＦにより二次電池２１と差動増幅回路２５が直接接続されないように構成される」ことが記載されているといえる。
　したがって、上記（ア）および（イ）を総合すると、刊行物４には以下の技術が記載されている（以下、「刊行物４に記載の技術」という。）。 
「キャパシタ２４に二次電池２１の電圧を選択的にコピーするスイッチ６と、
　キャパシタ２４を差動増幅回路２５に接続し、スイッチ６で選択された二次電池２１の電池電圧を検出するスイッチ２３と
　を備え、
　スイッチ６とスイッチ２３のＯＮ，ＯＦＦにより二次電池２１と差動増幅回路２５が直接接続されないように構成される、
　互いに直列接続された複数個の電池モジュールの電圧検出装置。」
オ　刊行物５（特開２００８−８２７３１号公報）の記載事項
　刊行物５には、図面とともに以下の事項が記載されている（なお、下線は当審で付した。）。
（ａ）「【０００１】
　この発明は、積層電圧検出装置に係り、特に
互いに直列接続された複数の電圧源の電圧をそれぞれ検出する装置
（ｂ）「【００１４】
　次に、この実施の形態１の動作について説明する。まず、制御部２のＣＰＵ３からローレベルの読み出し制御信号ＲＥが出力されて
５つの読み出し用アナログスイッチＴ１〜Ｔ５がそれぞれ遮断状態とされる。この状態で、
５つの充電用アナログスイッチＳ１〜Ｓ５がそれぞれ接続状態となる。これにより、直列コンデンサ回路１の４つのコンデンサＣ１〜Ｃ４がそれぞれ対応する単位電池Ｅ１〜Ｅ４に接続されて充電される。
【００１５】
　
コンデンサＣ１〜Ｃ４が十分に充電されると、
５つの充電用アナログスイッチＳ１〜Ｓ５がそれぞれ遮断状態となってコンデンサＣ１〜Ｃ４にそれぞれ対応する単位電池Ｅ１〜Ｅ４の電圧が保持される。この状態で、
５つの読み出し用アナログスイッチＴ１〜Ｔ５がそれぞれ接続状態となる。これにより、直列コンデンサ回路１の特定の端子Ａ２〜Ａ５がそれぞれ読み出し用アナログスイッチＴ２〜Ｔ５を介して制御部２内のＡ／Ｄ変換器Ａ／Ｄ１〜Ａ／Ｄ４に接続され、これらの端子Ａ２〜Ａ５の電位がＡ／Ｄ変換器Ａ／Ｄ１〜Ａ／Ｄ４で計測される。
（ア）刊行物５には、「互いに直列接続された複数の電圧源の電圧をそれぞれ検出する装置」（【０００１】）が記載されている。
（イ）刊行物５の「５つの読み出し用アナログスイッチＴ１〜Ｔ５がそれぞれ遮断状態とされる。この状態で、・・・（略）・・・５つの充電用アナログスイッチＳ１〜Ｓ５がそれぞれ接続状態となる。これにより、直列コンデンサ回路１の４つのコンデンサＣ１〜Ｃ４がそれぞれ対応する単位電池Ｅ１〜Ｅ４に接続されて充電される」（【００１４】）との記載より、刊行物５には、「５つの読み出し用アナログスイッチＴ１〜Ｔ５がそれぞれ遮断状態とされ、５つの充電用アナログスイッチＳ１〜Ｓ５がそれぞれ接続状態となり、直列コンデンサ回路１の４つのコンデンサＣ１〜Ｃ４がそれぞれ対応する単位電池Ｅ１〜Ｅ４に接続されて充電される」ことが記載されているといえる。
（ウ）刊行物５の「コンデンサＣ１〜Ｃ４が十分に充電されると、・・・（略）・・・５つの充電用アナログスイッチＳ１〜Ｓ５がそれぞれ遮断状態となってコンデンサＣ１〜Ｃ４にそれぞれ対応する単位電池Ｅ１〜Ｅ４の電圧が保持される。この状態で、・・・（略）・・・５つの読み出し用アナログスイッチＴ１〜Ｔ５がそれぞれ接続状態となる。これにより、直列コンデンサ回路１の特定の端子Ａ２〜Ａ５がそれぞれ読み出し用アナログスイッチＴ２〜Ｔ５を介して制御部２内のＡ／Ｄ変換器Ａ／Ｄ１〜Ａ／Ｄ４に接続され、これらの端子Ａ２〜Ａ５の電位がＡ／Ｄ変換器Ａ／Ｄ１〜Ａ／Ｄ４で計測される」（【００１５】）との記載より、刊行物５には、「コンデンサＣ１〜Ｃ４が十分に充電されると、５つの充電用アナログスイッチＳ１〜Ｓ５がそれぞれ遮断状態となってコンデンサＣ１〜Ｃ４にそれぞれ対応する単位電池Ｅ１〜Ｅ４の電圧が保持され、５つの読み出し用アナログスイッチＴ１〜Ｔ５がそれぞれ接続状態となり、直列コンデンサ回路１の特定の端子Ａ２〜Ａ５がそれぞれ読み出し用アナログスイッチＴ２〜Ｔ５を介して制御部２内のＡ／Ｄ変換器Ａ／Ｄ１〜Ａ／Ｄ４に接続され、これらの端子Ａ２〜Ａ５の電位がＡ／Ｄ変換器Ａ／Ｄ１〜Ａ／Ｄ４で計測される」ことが記載されているといえる。
　したがって、上記（ア）ないし（ウ）を総合すると、刊行物５には以下の技術が記載されている（以下、「刊行物５に記載の技術」という。）。 
「５つの読み出し用アナログスイッチＴ１〜Ｔ５がそれぞれ遮断状態とされ、５つの充電用アナログスイッチＳ１〜Ｓ５がそれぞれ接続状態となり、直列コンデンサ回路１の４つのコンデンサＣ１〜Ｃ４がそれぞれ対応する単位電池Ｅ１〜Ｅ４に接続されて充電され、
　コンデンサＣ１〜Ｃ４が十分に充電されると、５つの充電用アナログスイッチＳ１〜Ｓ５がそれぞれ遮断状態となってコンデンサＣ１〜Ｃ４にそれぞれ対応する単位電池Ｅ１〜Ｅ４の電圧が保持され、５つの読み出し用アナログスイッチＴ１〜Ｔ５がそれぞれ接続状態となり、直列コンデンサ回路１の特定の端子Ａ２〜Ａ５がそれぞれ読み出し用アナログスイッチＴ２〜Ｔ５を介して制御部２内のＡ／Ｄ変換器Ａ／Ｄ１〜Ａ／Ｄ４に接続され、これらの端子Ａ２〜Ａ５の電位がＡ／Ｄ変換器Ａ／Ｄ１〜Ａ／Ｄ４で計測される、
　互いに直列接続された複数の電圧源の電圧をそれぞれ検出する装置。」
カ　刊行物６（特開２００２−３５０４７２号公報）の記載事項
　刊行物６には、図面とともに以下の事項が記載されている（なお、下線は当審で付した。）。
（ａ）「【０００３】電気自動車に使用される組電池では、異常等の発生を監視するために、複数の単電池を１単位とした電池ブロック毎の電圧を検出する
電池電圧検出装置
（ｂ）「【０００８】この場合、まず、
差動増幅器２０に接続された第２ＦＥＴ４５ａおよび第３ＦＥＴ４５ｂをそれぞれオフ状態として、組電池１１の第１番目の電圧検出端子１２に接続された第１番目の第１ＦＥＴ４３と、第２番目の電圧検出端子１２に接続された第２番目の第１ＦＥＴ４３とを、それぞれオン状態とする。これにより、第１番目の電池ブロック１１ａがコンデンサ４６に接続されて、その電池ブロック１１ａの電荷がコンデンサ４６に充電される。
【０００９】
コンデンサ４６に電荷が充電されると、オン状態になった一対の第１ＦＥＴ４３をそれぞれオフ状態とした後に、第２ＦＥＴ４５ａおよび第３ＦＥＴ４５ｂをそれぞれオン状態とする。これにより、コンデンサ４６の電圧が差動増幅器２０に与えられる。
【００１０】
差動増幅器２０では、
入力されるコンデンサ４６の電圧が、
検出される。
（ア）刊行物６には、「電池電圧検出装置」（【０００３】）が記載されている。
（イ）刊行物６の「差動増幅器２０に接続された第２ＦＥＴ４５ａおよび第３ＦＥＴ４５ｂをそれぞれオフ状態として、組電池１１の第１番目の電圧検出端子１２に接続された第１番目の第１ＦＥＴ４３と、第２番目の電圧検出端子１２に接続された第２番目の第１ＦＥＴ４３とを、それぞれオン状態とする。これにより、第１番目の電池ブロック１１ａがコンデンサ４６に接続されて、その電池ブロック１１ａの電荷がコンデンサ４６に充電される」（【０００８】）との記載より、刊行物６には、「差動増幅器２０に接続された第２ＦＥＴ４５ａおよび第３ＦＥＴ４５ｂをそれぞれオフ状態として、組電池１１の第１番目の電圧検出端子１２に接続された第１番目の第１ＦＥＴ４３と、第２番目の電圧検出端子１２に接続された第２番目の第１ＦＥＴ４３とを、それぞれオン状態とすることにより、第１番目の電池ブロック１１ａがコンデンサ４６に接続されて、その電池ブロック１１ａの電荷がコンデンサ４６に充電される」ことが記載されているといえる。
（ウ）刊行物６の「コンデンサ４６に電荷が充電されると、オン状態になった一対の第１ＦＥＴ４３をそれぞれオフ状態とした後に、第２ＦＥＴ４５ａおよび第３ＦＥＴ４５ｂをそれぞれオン状態とする。これにより、コンデンサ４６の電圧が差動増幅器２０に与えられる」（【０００９】）との記載より、刊行物６には、「コンデンサ４６に電荷が充電されると、オン状態になった一対の第１ＦＥＴ４３をそれぞれオフ状態とした後に、第２ＦＥＴ４５ａおよび第３ＦＥＴ４５ｂをそれぞれオン状態とすることにより、コンデンサ４６の電圧が差動増幅器２０に与えられる」ことが記載されているといえる。
（エ）刊行物６には、「差動増幅器２０では、・・・（略）・・・入力されるコンデンサ４６の電圧が・・・（略）・・・検出される」（【００１０】）ことが記載されている。
　したがって、上記（ア）ないし（エ）を総合すると、刊行物６には以下の技術が記載されている（以下、「刊行物６に記載の技術」という。）。 
「差動増幅器２０に接続された第２ＦＥＴ４５ａおよび第３ＦＥＴ４５ｂをそれぞれオフ状態として、組電池１１の第１番目の電圧検出端子１２に接続された第１番目の第１ＦＥＴ４３と、第２番目の電圧検出端子１２に接続された第２番目の第１ＦＥＴ４３とを、それぞれオン状態とすることにより、第１番目の電池ブロック１１ａがコンデンサ４６に接続されて、その電池ブロック１１ａの電荷がコンデンサ４６に充電され、
　コンデンサ４６に電荷が充電されると、オン状態になった一対の第１ＦＥＴ４３をそれぞれオフ状態とした後に、第２ＦＥＴ４５ａおよび第３ＦＥＴ４５ｂをそれぞれオン状態とすることにより、コンデンサ４６の電圧が差動増幅器２０に与えられ、
　差動増幅器２０では、入力されるコンデンサ４６の電圧が検出される、
　電池電圧検出装置。」
（２）対比
　本願発明と引用発明とを対比する。 
ア　「リチウムイオン二次電池である電圧源２の正出力端子及び負出力端子間の電圧を検出する電圧検出装置１」である引用発明は、「電池電圧検出装置」であるという点で本願発明と共通する。
イ　引用発明の「ＡＤ前段部１１」および「ＡＤ変換器１２」は、それぞれ、本願発明の「電圧検出回路」および「電圧処理部」に対応する。
ウ　引用発明の「リチウムイオン二次電池である電圧源２」は、本願発明の「電池セル」に相当し、引用発明の「リチウムイオン二次電池である電圧源２が複数直列接続され」た構成は、本願発明の「直列接続された複数の電池セル」に相当する。
エ　引用発明の「電圧源２の正出力端子に接続される入力端子１１IN」および「電圧源２の負出力端子に接続される基準電位点６」を併せた構成は、本願発明の「前記電池セルの両端子に接続された一対の入力端子」に相当する。
オ　引用発明の「ＡＤ変換器１２の入力端子１２IN」および「ＡＤ変換器１２の基準の電位となる基準電位点７」を併せた構成は、本願発明の「一対の出力端子」に相当する。
カ　引用発明の「フライングキャパシタ」は、「電圧源２の正出力端子に接続される入力端子１１IN」と「電圧源２の負出力端子に接続される基準電位点６」とに接続され、電圧源２によって充電されるといえるから、本願発明の「コンデンサ」と、「前記電池セルによって充電されるコンデンサ」である点で共通する。
キ　刊行物１の「入力端子１１INに加わるアナログ電圧は基準電位点６の電位を基準とする電圧である」（【００４１】）との記載を踏まえれば、引用発明の「第１のスイッチ」および「第２のスイッチ」を併せた構成は、同時にオンになって、フライングキャパシタを「入力端子１１IN」および「基準電位点６」に接続するものであるといえ、上記カ（「前記電池セルによって充電されるコンデンサ」である点で共通すること）も踏まえれば、本願発明の「入力スイッチ」と、「充電期間中にオンとなって前記コンデンサを前記一対の入力端子間に接続する入力スイッチ」である点で共通する。
ク　刊行物１の「ＡＤ前段部１１から伝達されて入力端子１２INに加わる電圧は基準電位点７の電位を基準とする電圧である」（【００４１】）との記載を踏まえれば、引用発明の「第３のスイッチ」および「第４のスイッチ」は、同時にオンになって、フライングキャパシタを「入力端子１２IN」および「基準電位点７」に接続するものであるといえ、本願発明の「出力スイッチ」と、「オンとなって前記コンデンサを前記一対の出力端子間に接続する出力スイッチ」である点で共通する。
ケ　引用発明の「ＡＤ変換器１２」は、アナログ電圧信号を変換してデジタル電圧信号をデジタル回路部１４に出力するもの、すなわち、デジタル回路部１４にアナログ電圧信号をデジタル電圧信号として取り込むものといえるから、本願発明の「電圧処理部」と、「前記電圧検出回路に接続され、前記電圧検出回路の出力端子間電圧を前記電池セルのセル電圧として取り込む電圧処理部」である点で共通する。
コ　すると、本願発明と引用発明とは、次の一致点および相違点を有する。
＜一致点＞
「直列接続された複数の電池セルに対して設けられており、前記電池セルによって充電されるコンデンサと、前記電池セルの両端子に接続された一対の入力端子と、充電期間中にオンとなって前記コンデンサを前記一対の入力端子間に接続する入力スイッチと、一対の出力端子と、オンとなって前記コンデンサを前記一対の出力端子間に接続する出力スイッチとを有する電圧検出回路と、
　前記電圧検出回路に接続され、前記電圧検出回路の出力端子間電圧を前記電池セルのセル電圧として取り込む電圧処理部と
　を備えることを特徴とする電池電圧検出装置。」
＜相違点＞
【相違点１】
　本願発明は、コンデンサが、直列接続された複数の電池セルの「各々に対して個別に」設けられ、電圧処理部が、電圧検出回路の「各々に」接続されているのに対し、引用発明にはそのような特定がない点。
【相違点２】
　本願発明は、入力スイッチが、「充電後にオフとなって前記コンデンサを前記一対の入力端子から絶縁」し、出力スイッチが、「充電期間中にオフとなって前記コンデンサを前記一対の出力端子から絶縁し」、「充電後に」オンとなって前記コンデンサを前記一対の出力端子間に接続するのに対し、引用発明にはそのような特定がない点。
【相違点３】
　本願発明は、「前記電圧検出回路の各々に設けられた前記一対の出力端子の内、高電位側の出力端子と電源ラインとに接続された複数のプルアップ抵抗」を備え、「前記プルアップ抵抗が前記コンデンサに接続される前記出力スイッチのオン期間中に前記コンデンサが前記プルアップ抵抗を介して再充電され、ドリフト誤差による電圧低下分がキャンセルされたときの」出力端子間電圧を取り込むのに対し、引用発明にはそのような特定がない点。
（３）判断
ア　相違点３について検討する。
イ　刊行物２および刊行物３には、プルアップ抵抗について開示されているものの、「前記電圧検出回路の各々に設けられた前記一対の出力端子の内、高電位側の出力端子と電源ラインとに接続された複数のプルアップ抵抗」を備え、「前記プルアップ抵抗が前記コンデンサに接続される前記出力スイッチのオン期間中に前記コンデンサが前記プルアップ抵抗を介して再充電され、ドリフト誤差による電圧低下分がキャンセルされたときの」出力端子間電圧を前記電池セルのセル電圧として取り込むという点は、刊行物２ないし６のいずれにも開示されておらず、周知技術であるともいえない。
　よって、相違点３に係る本願発明の構成は、当業者が引用発明、刊行物２ないし６に記載の技術および周知技術から、当業者が容易に想到できたものとはいえない。
ウ　したがって、相違点１および２について検討するまでもなく、本願発明は、引用発明、刊行物２ないし６に記載された事項および周知技術に基づいて、当業者が容易に想到できたものとはいえない。
（４）小括
　上記「（３）判断」において示したとおり、本願発明は、当業者が引用発明、刊行物２ないし６に記載された事項および周知技術に基づいて容易に発明をすることができたとはいえない。
　また、本願の請求項２に係る発明は、本願発明をさらに限定したものであるから、本願の請求項２に係る発明は、本願発明と同様に、当業者が引用発明、刊行物２ないし６に記載された事項および周知技術に基づいて容易に発明をすることができたものとはいえない。
　よって、原査定の理由によっては、本願を拒絶することはできない。
第４　平成２８年６月２１日付け当審拒絶理由について
１　平成２８年６月２１日付け当審拒絶理由の概要
　この出願は、発明の詳細な説明の記載について下記の点で、特許法第３６条第４項第１号に規定する要件を満たしていない。
　　　　　　　　　　　　　　　　　記
（１）再充電されたフライングキャパシタＦＣの出力端子間電圧Ｖをセル電圧Ｖ＿ＦＣとして検出することについて
　ある電圧ｖで充電されて定常状態になったコンデンサの電圧は常にｖとなるのが通常であるから、基準電圧Ｖｃｃで再充電されて定常状態になったフライングキャパシタＦＣの出力端子間電圧Ｖは常にＶｃｃになると考えられ、このような定常状態の電圧はセル電圧Ｖ＿ＦＣとは無関係な電圧であり、なぜセル電圧Ｖ＿ＦＣを検出できるのか、不明である。
（２）プルアップ抵抗Ｒｐの抵抗値の設定について
　「サンプリング期間中に影響のでないようにプルアップ抵抗Ｒｐの抵抗値を設定する」とは、具体的にどのような影響がでないようにどのような抵抗値を設定することを意味しているのかが不明である。また、サンプリング期間中に影響がでないように設定された抵抗値に基づく微小電流が溜められたフライングキャパシタＦＣの出力端子間電圧Ｖと、セル電圧Ｖ＿ＦＣとがどのような技術的関連を有するのか不明である。
（３）ドリフト誤差による出力端子間電圧Ｖの電圧低下分をキャンセルすることについて
　ドリフト誤差の原因となる各種抵抗とは独立した抵抗であって常時接続されたプルアップ抵抗Ｒｐと、安定した基準電圧Ｖｃｃとを用いてフライングキャパシタＦＣを再充電する手法では、フライングキャパシタＦＣの出力端子間電圧Ｖを定常状態において基準電圧Ｖｃｃにまで上昇させることが可能であったとしても（上記（１）参照）、なぜ経時的な抵抗値変化に起因するドリフト誤差を動的にキャンセルして真値に近いセル電圧を高精度に検出する効果をもたらすことができるのか不明である。 
２　平成２８年６月２１日付け当審拒絶理由の判断
　平成２８年７月２９日の意見書の釈明により、平成２８年６月２１日付け当審拒絶理由の（１）ないし（３）は解消した。
　そうすると、もはや、平成２８年６月２１日付け当審拒絶理由（１）ないし（３）によって本願を拒絶することはできない。
第５　平成２８年９月５日付け当審拒絶理由について
１　平成２８年９月５日付け当審拒絶理由の概要
　この出願は、特許請求の範囲の記載が下記の点で、特許法第３６条第６項第１号に規定する要件を満たしていない。
　　　　　　　　　　　　　　　　　記
　例えば、出力スイッチのオン期間中に（段落【００３１】参照）、コンデンサ（フライングキャパシタ）がプルアップ抵抗を介して再充電され（段落【００３２】参照）、ドリフト誤差による電圧低下分がキャンセルされて真値に近いセル電圧を得る（段落【００３４】参照）といった構成が反映されていないため、請求項１に記載された発明は、上記課題を解決できるものとはいえず、発明の詳細な説明に記載した範囲を超えて特許を請求することになる（請求項１に記載された発明は、（１）出力スイッチのオン期間中にコンデンサ（フライングキャパシタ）が再充電される点が明確になっておらず（再充電されるか否かは、電源ラインの電圧値とコンデンサ（フライングキャパシタ）の高電位側の電圧値との関係にも依存するものであり、電源ラインに接続されたプルアップ抵抗に接続したという構成のみでは、コンデンサ（フライングキャパシタ）が再充電されるとは限らない）、（２）仮に再充電される場合があったとしても、ドリフト誤差による電圧低下分がキャンセルされて真値に近いセル電圧を得るもののみならず、例えば、定常状態の電圧（電源ライン（Ｖｃｃライン）の電圧）に近いセル電圧を得るものも含まれる。）。
２　平成２８年９月５日付け当審拒絶理由の判断
　平成２８年１０月２６日の手続補正により、請求項１に「前記コンデンサが前記プルアップ抵抗を介して再充電され、ドリフト誤差による電圧低下分がキャンセルされたときの」出力端子間電圧を取り込む構成が追加され、平成２８年９月５日付け当審拒絶理由は解消した。
　そうすると、もはや、平成２８年９月５日付け当審拒絶理由によって本願を拒絶することはできない。
第６　むすび
　以上のとおり、原査定の理由および当審で通知した拒絶理由によっては、本願を拒絶することはできない。
　また、他に本願を拒絶すべき理由を発見しない。
　よって、結論のとおり審決する。